(57)【特許請求の範囲】
【請求項１】
表面体と箱体を有する引手において、表面体は、周囲に鍔部を残して略中央に開口部を設け、鍔部裏面に開口部の全周に沿って裏面から立ち上がる方向に突出する内側突起部を設けると共に、その外方に間隔をあけて略平行な状態で同じく裏面から立ち上がる方向に突出する外側突起部を設けて、内側突起部と外側突起部との間に嵌込溝を形成して成り、箱体は、底板とその周縁から立ち上がる周縁板から成る箱状で、周縁板の先端縁を、嵌込溝に挿入される嵌込縁とし、箱体の嵌込縁を表面体の嵌込溝に嵌め込んで、表面体と箱体にそれぞれ設けた係合孔と係合突起を係合させて一体化し、表面体の内側突起部が、箱体の周縁板内面より内方に突出して手掛け部となることを特徴とする引手。
【発明の詳細な説明】
【技術分野】
【０００１】
本発明は、引戸を開閉操作する際の指の掛かりを良好にした２部品から成る引手に関するものである。
【背景技術】
【０００２】
従来より、座板と箱体から成り引戸を開閉操作する際の指の掛かりを良好にした引手として、実開昭５９−１４６４６８号考案が提案されているが、これは、座板の中央部に角筒体が設けてあり、この角筒体の一方の側板を、隣接する端板から切り離して外側に折り曲げて傾斜させ、角筒体を箱体の内側に嵌合して、座板の角筒体と箱体のそれぞれ両端の端板に釘挿入孔を設けて、そこから釘を打ち込んで取り付けるものである。
【先行技術文献】
【特許文献】
【０００３】
【特許文献１】実開昭５９−１４６４６８号公報
【発明の概要】
【発明が解決しようとする課題】
【０００４】
上記従来例においては、角筒体を箱体の内側に嵌合しているだけなので、隣接する端板から切り離して外側に折り曲げた側板が変形しやすく、角筒体と箱体の嵌合力は強いものではなく、引戸へ取り付けようとする時に、箱体が角筒体から奥行き方向に移動しやすく双方の釘挿入孔がずれてしまうという問題や、側板を隣接する端板から切り離して外側に折り曲げてあるので、切断面が露出することになり、開閉操作の際に指を怪我する危険があるし、外観上の体裁も悪いという問題があり、さらには、一方の側板だけを傾斜させているので、開閉いずれか一方向の操作性は改善されないという問題もあり、本発明は、それらの問題を解決することを課題とするものである。
【課題を解決するための手段】
【０００５】
本発明は、上記の課題を解決するために、表面体と箱体を有する引手において、表面体は、周囲に鍔部を残して略中央に開口部を設け、鍔部裏面に開口部の全周に沿って裏面から立ち上がる方向に突出する内側突起部を設けると共に、その外方に間隔をあけて略平行な状態で同じく裏面から立ち上がる方向に突出する外側突起部を設けて、内側突起部と外側突起部との間に嵌込溝を形成して成り、箱体は、底板とその周縁から立ち上がる周縁板から成る箱状で、周縁板の先端縁を、嵌込溝に挿入される嵌込縁とし、箱体の嵌込縁を表面体の嵌込溝に嵌め込んで、表面体と箱体にそれぞれ設けた係合孔と係合突起を係合させて一体化し、表面体の内側突起部が、箱体の周縁板内面より内方に突出して手掛け部となることを特徴とする引手である。
【発明の効果】
【０００６】
本発明は、箱体の嵌込縁を表面体の嵌込溝に嵌め込んで一体化し、表面体の内側突起部が、箱体の周縁板内面より内方に突出して手掛け部となるように構成したので、全周に亘って指の掛かりが良好で開閉両方の操作性に優れ、なおかつ、表面体と箱体の嵌合力を強くすることが可能であり、箱体と表面体は容易にずれたり外れたりすることがなく、取付時や使用時に不都合が生じにくいという効果がある。
【０００７】
また、表面体は、周囲に鍔部を残して略中央に開口部を設け、鍔部裏面に開口部の全周に沿って、裏面から立ち上がる方向に突出する内側突起部を設けてあるので、引戸を開閉操作する時に指を怪我する危険が少なく、外観上の体裁もよいという効果がある。
【図面の簡単な説明】
【０００８】
【図１】引戸に、本発明を取り付けた状態の正面図。
【図２】図１のＡ−Ａ線拡大断面図。
【図３】図１のＢ−Ｂ線拡大断面図。
【図４】本発明の分解縦断面図。
【図５】一方の引手の分解斜視図。
【図６】他方の引手の分解斜視図。
【実施例１】
【０００９】
一方の引手Ｈ１は、表面体１と箱体２とから成り、表面体１は、縦長方形状で周囲に鍔部６を残して中央部分に開口部７を設けてある。開口部７の裏面側の周囲には、全周囲に亘って裏面から立ち上がる方向に突出する内側突起部８を設け、さらにその外側に間隔をあけて同じく全周囲に亘って裏面から立ち上がる方向に突出する外側突起部９を設け、そして、内側突起部８と外側突起部９の間には、嵌込溝１０を形成してある。なお、外側突起部９は、必ずしも全周囲に亘って設ける必要はない。
【００１０】
内側突起部８の上下辺を除く両縦側辺部は、上下辺よりも大きく、断面略三角形状に内方に突出させて手掛け部とし、開閉操作の際に指が掛かりやすくして操作性を向上させてある。
【００１１】
また、鍔部６裏面の上下部には、円筒形で内周にねじ溝を刻設し裏面から立ち上がる方向に突出する取付脚１２・１２を設け、さらに外側突起部９の相対向する長辺のそれぞれ２箇所には、係合孔１１・・・１１を設けてある。
【００１２】
箱体２は、縦長方形状の底板１３の周囲から周縁板１４を直角に立ち上げて、その先端縁を嵌込縁１６としてあり、嵌込縁１６の両側板１５・１５のそれぞれ２箇所、すなわち係合孔１１・・・１１に対応する位置に、略三角形状に外方に突出する係合突起１７・・・１７を設けてある。
【００１３】
そして、箱体２の嵌込縁１６を表面体１の嵌込溝１０に挿入すれば、係合突起１７・・・１７が係合孔１１・・・１１に係合し、表面体１と箱体２は一体化され組み立てられる。
【００１４】
他方の引手Ｈ２は、表面体３と箱体４とから成り、表面体３は、縦長方形状で周囲に鍔部１８を残して中央部分に開口部１９を設けてある。開口部１９の裏面側の周囲には、全周囲に亘って裏面から立ち上がる方向に突出する内側突起部２０を設け、さらにその外側に間隔をあけて同じく全周囲に亘って裏面から立ち上がる方向に突出する外側突起部２１を設け、そして、内側突起部２０と外側突起部２１の間には、嵌込溝２２を形成してある。なお、外側突起部２１は、必ずしも全周囲に亘って設ける必要はない。
【００１５】
内側突起部２０の上下辺を除く両縦側辺部は、上下辺よりも大きく、断面略三角形状に内方に突出させて手掛け部とし、開閉操作の際に指が掛かりやすくして操作性を向上させてある。
【００１６】
また、鍔部１８裏面の上下部には、取付孔２４・２４を設け、さらに、外側突起部２１の相対向する長辺のそれぞれ２箇所には、係合孔２３・・・２３を設けてある。
【００１７】
箱体４は、箱体２と同様に、縦長方形状の底板２５の周囲から周縁板２７を直角に立ち上げて、その先端縁を嵌込縁２８としてあり、周縁板２６の両側板２７・２７のそれぞれ２箇所、すなわち係合孔２３・・・２３に対応する位置に、略三角形状の係合突起２９・・・２９を設けてある。
【００１８】
そして、箱体４の嵌込縁２８を表面体３の嵌込溝２２に挿入すれば、係合突起２９・・・２９が係合孔２３・・・２３に係合し、表面体３と箱体４は一体化され組み立てられる。
【００１９】
その後、それぞれ組み立てられた引手Ｈ１・Ｈ２を、引戸Ｔに設けた切欠孔に表裏面から、挟むようにしてあてがい、引手Ｈ２の取付孔２４・２４から呼び込みねじ５・５を挿入して、引手Ｈ１の取付脚１２・１２に螺合させて締め付けて取り付けるものである。
【００２０】
本実施例では、引手Ｈ１の表面体１と箱体２は共に略方形状で、内側突起部８の上下辺を除く両縦側辺部は、上下辺よりも内方に大きく突出させて手掛け部としてあり、手掛け部となる内側突起部８以外の部分については肉厚を薄くすることができ、低コストで開閉操作性を向上させることができるものである。なお、引手Ｈ２の表面体３と箱体４についても同様である。
【符号の説明】
【００２１】
１  表面体
２  箱体
３  表面体
４  箱体
６  鍔部
７  開口部
８  内側突起部
９  外側突起部
１０  嵌込溝
１６  嵌込縁
１８  鍔部
１９  開口部
２０  内側突起部
２１  外側突起部
２２  嵌込溝
２８  嵌込縁
Ｈ１  引手
Ｈ２  引手
Ｔ  引戸
【図１】
0005713500.tif 000002
【図２】
0005713500.tif 000003
【図３】
0005713500.tif 000004
【図４】
0005713500.tif 000005
【図５】
0005713500.tif 000006
【図６】
0005713500.tif 000007